(57)【特許請求の範囲】
【請求項１】
ポンプから吐出された圧油を供給通路に設けられた制御オリフィスを介して動力舵取装置の制御弁に送出し、前記制御オリフィスの差圧に応動してバイパス通路の開度を制御し、余剰流をポンプの吸入側に還流して前記制御弁への供給流量を制御する流量調整弁と、低負荷圧時に前記流量調整弁のばね室を低圧側に連通し、ステアリング操作による高負荷圧時にばね室と低圧側との連通を遮断する負荷感応弁を備え、前記流量調整弁はポンプハウジングに形成された第１弁収納孔に摺動可能に収納され、前記負荷感応弁はポンプハウジングに形成された第２弁収納孔に摺動可能に収納され、前記負荷感応弁には、負荷圧が設定圧を超えるとばね室の圧力を低圧側に逃すレリーフ弁を組み込んだことを特徴とする動力舵取装置における流量制御装置。
【請求項２】
前記流量調整弁は前記ばね室側の一端が開口され、スプリングを収納する筒形状としたことを特徴とする請求項１に記載の動力舵取装置における流量制御装置。
【請求項３】
前記負荷感応弁に受圧面積差をもたせたことを特徴とする請求項１に記載の動力舵取装置における流量制御装置。
【発明の詳細な説明】
【０００１】
【発明の属する技術分野】
本発明は、低負荷時にポンプから制御弁に供給する流量を低減して省エネルギ化した自動車等の動力舵取装置における流量制御装置に関し、ポンプの小型化を図ったものである。
【０００２】
【従来の技術】
ステアリング操作をしていない低負荷時にポンプから制御弁に供給される流量を低減して省エネルギ化を図った動力舵取装置における流量制御装置は、例えば特開平９−１４２３１９号公報に記載されているように公知である。この流量制御装置は、流量調整弁に負荷感応弁を同軸線上で組み込み、負荷圧が設定圧以上になったときに圧力を低圧側に逃すためのレリーフ弁を前記流量調整弁のスプールに内蔵した構造である。
【０００３】
【発明が解決しようとする課題】
流量調整弁は制御する流量が負荷感応弁に比べて大きく、従って、スプールのストロークを大きくとる必要がある。このような流量調整弁にレリーフ弁を組み込むと、流量調整弁単体の軸長寸法が長くなり、その結果、流量調整弁を設置するポンプが大型化してしまう問題がある。
【０００４】
本発明の目的は、省エネルギ化を図った動力舵取装置における流量制御装置をコンパクト化し、ポンプの小型化を可能にしたことである。
【０００５】
【課題を解決するための手段】
上記の目的を達成するための本発明の要旨は、ポンプから吐出された圧油を供給通路に設けられた制御オリフィスを介して動力舵取装置の制御弁に送出し、前記制御オリフィスの差圧に応動してバイパス通路の開度を制御し、余剰流をポンプの吸入側に還流して前記制御弁への供給流量を制御する流量調整弁と、低負荷圧時に前記流量調整弁のばね室を低圧側に連通し、ステアリング操作による高負荷圧時にばね室と低圧側との連通を遮断する負荷感応弁を備え、前記流量調整弁はポンプハウジングに形成された第１弁収納孔に摺動可能に収納され、前記負荷感応弁はポンプハウジングに形成された第２弁収納孔に摺動可能に収納され、前記負荷感応弁には、負荷圧が設定圧を超えるとばね室の圧力を低圧側に逃すレリーフ弁を組み込んだことを特徴とするものである。
【０００６】
前記流量調整弁は前記ばね室側の一端が開口され、スプリングを収納する筒形状としたことを特徴とするものである。
【０００７】
前記負荷感応弁に受圧面積差をもたせたことを特徴とするものである。
【０００８】
【発明の実施の形態】
以下本発明の実施形態を図面に基づいて説明する。図１は本発明による動力舵取装置の全体構成であり、低負荷時の状態を示す。この動力舵取装置は、主として、自動車エンジンによって駆動されるポンプ１０と、リザーバ１１と、ハンドル操作をパワーアシストするパワーシリンダ１２と、ステアリング操作により作動して前記ポンプ１０からパワーシリンダ１２に供給される圧油を絞り制御する制御弁１３とによって構成されている。
【０００９】
前記ポンプ１０から制御弁１３に圧油を供給する供給通路１４には制御オリフィス１５が設けられ、この制御オリフィス１５による差圧によって作動される流量調整弁１６により制御弁１３への供給流量が制御されるようになっている。また、ステアリング操作による負荷圧に応じて作動される負荷感応弁２４によって前記制御弁１３に供給される流量を低減させ、省エネルギ化を達成するようになっている。
【００１０】
前記流量調整弁１６は図略のポンプハウジングに形成された第１弁収納穴１７に摺動可能に収納されており、前記第１弁収納穴１７に形成されている第１ばね室１８に収納されたスプリング１９によって前記制御オリフィス１５の通過前の圧油を導入する供給ポート２０の方向に押圧されている。前記第１弁収納穴１７には前記流量調整弁１６によって開度が制御されるバイパス通路３６と、前記制御オリフィス１５の通過後の圧油をパイロットオリフィス２３を介して前記第１ばね室１８に導入する導入ポート２１と、第１ばね室１８から圧力を後述する負荷感応弁２４に送出する圧力送出ポート２２とを備え、前記バイパス通路３６はリザーバ１１への還流路３７に連通されている。
【００１１】
一方、前記負荷感応弁２４は前記第１弁収納穴１７と平行若しくは直角にポンプハウジングに形成された第２収納穴２５に摺動可能に収納されており、前記第２収納穴２５に形成されている第２ばね室３９に収納されているスプリング３１によって第１負荷圧導入ポート２６の方向に前進押圧され、かつ前記第２ばね室３９側に設けられた筒状のストッパ３２により後退位置が規制されるようになってる。
【００１２】
前記第２収納穴２５には前記第１収納穴１７の第１ばね室１８に設けられている圧力送出ポート２２と連通し、前記負荷感応弁２４の動きによって開閉する可変絞り２８を形成した圧力導入ポート２７と、この第１圧力導入ポート２７に導入された圧力を前記低圧側の還流路３７に流すドレンポート２９と、前記圧力送出ポート２２から前記圧力導入ポート２７に送出する圧力を前記第２ばね室３９に導入する第２負荷圧導入ポート３０とを備えている。また、前記負荷感応弁２４は、前記第１負荷圧導入ポート２６側の受圧面積Ｄ１を大きく、第２ばね室３９側の受圧面積Ｄ２を小さくしたＤ１＞Ｄ２の受圧面積の差をもたせている。
【００１３】
さらに、前記負荷感応弁２４内にはレリーフ弁３３が組み込まれている。このレリーフ弁３３は前記第２ばね室３９と連通している通路４０をレリーフ圧設定用のスプリング３５の力で塞いでおり、負荷感応弁２４には前記レリーフ弁３３が第２ばね室３９内の圧力によってスプリング３５の力に抗して開いたときに前記第２ばね室３９を通路４０を介してドレンポート２９に連通する開口孔３４が設けられている。尚、符号３８はストッパ３２の一端に設けられたフィルタであり、通路４０を通る前のレリーフ圧の不純物を濾過するものである。
【００１４】
本発明は上記通りの構造であるから、自動車エンジンによりポンプ１０が駆動されると、圧油がポンプ１０の吐出ポートから供給通路１４に吐出される。この供給通路１４に吐出された圧油は制御オリフィス１５を通過して制御弁１３に供給される。また、制御オリフィス１５を通過した圧油はパイロットオリフィス２３を介して導入ポート２１より流量調整弁１６の第１ばね室１８に導入されると共に、制御オリフィス１５通過前の圧油が流量調整弁１６の供給ポート２０より導入される。これにより、流量調整弁１６は制御オリフィス１５前後の差圧が作用し、この差圧を一定に維持するようバイパス通路３６の開度を制御して余剰流をポンプ１０の吸入側に還流し、図３で示すように、ポンプ１０の回転数が上昇しても制御弁１３に供給する流量を一定に制御する。
【００１５】
操舵の中立状態では負荷圧が低いので、負荷感応弁２４はスプリング３１によって図１で示すように第１負荷圧導入ポート２６の方向に前進押圧され、流量調整弁１６の第１ばね室１８の圧力送出ポート２２と連通している圧力導入ポート２７の可変絞り２８は開口状態となっており、第１ばね室１８の圧力はドレンポート２９を介して低圧側の還流路３７にリークする。これにより、第１ばね室１８の圧力を低下させ、流量調整弁１６を作動させてバイパス通路３６を通常より開口して制御弁１３への供給流量を図４に示すようにＱ１まで低減する。
【００１６】
一方、ステアリング操作により負荷圧が上昇して高負荷になると負荷感応弁２４は受圧面積差による油圧推力の増大により図２で示すように、スプリング３１の作用力に抗して後退移動してストッパに３２に当接する。これにより、圧力導入ポート２７の可変絞り２８は閉じられ、流量調整弁１６の第１ばね室１８の圧力送出ポート２２から負荷感応弁２４の圧力導入ポート２７及びドレンポート２９を経由して還流路３７へ還流するリーク通路が遮断される。これにより制御弁１３の供給流量はパワーアシストに必要なＱ２まで増大される。
【００１７】
一方、負荷圧が設定圧を超えると、レリーフ弁３３は通路４０を開き流量調整弁１６の第１ばね室１８の圧力を開口孔３４からドレンポート２９を介して低圧側の還流路３７にリークする。
【００１８】
このようにして図４で示すように、負荷圧Ｐ１では可変絞り２８が開口されて制御弁１３に供給される圧油の供給流量は流量Ｑ１まで減少され、ポンプ１０の動力のエネルギ損失を低減し、負荷圧が上昇して負荷圧Ｐ２では可変絞り２８を閉止して流量調整弁１６がバイパス通路３６を絞る方向に変位され、制御弁１３に供給される圧油の供給流量を図４で示す流量Ｑ２まで増加し、アシスト作用に寄与する。
【００１９】
図５及び図６は本発明の変形例で、図５は低負荷時を図６は高負荷時を示す。これは、負荷圧が設定圧を超えると低圧側に圧力を逃すレリーフ弁を組み込んだ負荷感応弁の構造を変形したものである。
【００２０】
すなわち、上記の実施形態における負荷感応弁２４の圧力導入ポート２７を廃止し、流量調整弁１６の圧力送出ポート２２と負荷感応弁２４の第２負荷圧導入ポート３０とを連通して流量調整弁１６の第１ばね室１８の圧力を負荷感応弁２４の第２ばね室３９に導入するようにする。さらに、負荷感応弁２４には第２ばね室３９と可変絞り２８とを連通する連通孔４１を設けた構造である。この変形例は流量調整弁１６の第１ばね室１８の圧力をリークさせる経路の配管を簡素化したものである。
【００２１】
この変形例では低負荷時においては図５で示すように、負荷感応弁２４はスプリング３１によって第１負荷圧導入ポート２６の方向に前進押圧され、可変絞り２８は開口状態となっており、流量調整弁１６の第１ばね室１８の圧力は負荷感応弁２４の第２ばね室３９に導入され連通孔４１を通り可変絞り２８からドレンポート２９を介して低圧側の還流路３７にリークする。これにより、第１ばね室１８の圧力を低下させ、流量調整弁１６を作動させてバイパス通路３６を通常より開口して制御弁１３への供給流量を低減する。
【００２２】
また、高負荷時においては図６で示すように、負荷圧が第１および第２負荷圧導入ポート２６，３０より導入され負荷感応弁２４は受圧面積差による油圧推力の増大によりスプリング３１の作用力に抗して後退移動してストッパ３２に当接する。これにより、可変絞り２８は閉じられ、流量調整弁１６の第１ばね室１８の圧力送出ポート２２から負荷感応弁２４の第２負荷圧導入ポート３０、第２ばね室３９、連通孔４１、可変絞り２８およびレンポート２９を経由して還流路３７へ還流するリーク通路が遮断される。
【００２３】
この状態で負荷圧が設定圧を超えると、上記の実施形態と同様にレリーフ弁３３は通路４０を開き流量調整弁１６の第１ばね室１８の圧力を開口孔３４からドレンポート２９を介して低圧側の還流路３７にリークする。
【００２４】
【発明の効果】
以上述べたように本発明によると、負荷圧が設定圧を超えると流量調整弁のばね室の圧力を低圧側に逃すレリーフ弁を流量調整弁に比べてストロークが小さい負荷感応弁に組み込んだことにより、流量調整弁の軸方向の寸法を短くできる。また、流量調整弁はスプリングを収納する筒形状としたことにより、流量調整弁の軸方向の寸法を一層短くすることができ、流量調整弁の弁収納穴と負荷感応弁の弁収納穴をポンプの回転軸心線を挟んで平行に設置することによってポンプの小型化を可能にすることができる。
さらに、負荷感応弁の受圧面積に差をもたせたことにより、負荷圧の上昇に伴って負荷圧感応弁をスプリング力のバラツキに拘らず安定して作動できる効果が得られる。
【図面の簡単な説明】
【図１】本発明の実施形態を示す動力舵取装置における流量制御装置の低負荷時の全体構成図。
【図２】本発明の実施形態を示す動力舵取装置における流量制御装置の高負荷時の全体構成図。
【図３】ポンプ回転数に対する供給流量特性を示すグラフ。
【図４】負荷圧力に対する供給流量特性を示すグラフ。
【図５】本発明の変形例の低負荷時の要部構成図。
【図６】本発明の変形例の高負荷時の要部構成図。
【符号の説明】
１０      ポンプ
１１      リザーバ
１２      パワーシリンダ
１３      制御弁
１４      供給通路
１５      制御オリフィス
１６      流量調整弁
１８      第１ばね室
１９      スプリング
２３      パイロットオリフィス
２４      負荷感応弁
２８      可変絞り
２９      ドレンポート
３１      スプリング
３２      ストッパ
３３      レリーフ弁
３４      開口孔
３５      スプリング
３６      バイパス通路
３７      還流路
３９      第２ばね室
４０      通路
４１      連通孔
【図１】
0003596298.tif 000002
【図２】
0003596298.tif 000003
【図３】
0003596298.tif 000004
【図４】
0003596298.tif 000005
【図５】
0003596298.tif 000006
【図６】
0003596298.tif 000007